(57)【要約】      （修正有）【課題】  着順判定用画像表示装置としてデジタル化を図り、高精細画像により鮮明度を増すと共に、判定線をプロセッサ制御により画面上に合成し、判定線の色や幅を調整可能にして審判員の判定がより正確にできるような着順判定用画像変換表示装置を提供する。【解決手段】  本発明の着順判定用画像変換表示装置は、Ｘ−Ｙ軸平面平行移動台、該Ｘ−Ｙ軸平面平行移動台に載置した着順判定用ネガ・フィルムを撮像するデジタル・カメラ、該デジタル・カメラのデジタル出力を白黒反転すると共に該反転出力に判定線を合成してモニターに表示するデジタル・プロセッサからなる着順判定用画像変換表示装置において、上記着順判定用フィルムがゴール上をスリット・カメラにより撮影した連続写真の一部であり、上記判定線が該連続写真の進行方向に直角方向に表示される所定の幅の線であって、該判定線の色が任意に可変であり、さらに、前記判定線の幅が任意に調整可能である。【選択図】図２
2006061331.tif 000002
【特許請求の範囲】
【請求項１】
Ｘ−Ｙ軸平面平行移動台、該Ｘ−Ｙ軸平面平行移動台に載置した着順判定用ネガ・フィルムを撮像するデジタル・カメラ、該デジタル・カメラのデジタル出力を白黒反転すると共に該反転出力に判定線を合成してモニターに表示するデジタル・プロセッサからなる着順判定用画像変換表示装置において、
上記着順判定用フィルムがゴール上をスリット・カメラにより撮影した連続写真の一部であり、上記判定線が該連続写真の進行方向に直角方向に表示される所定の幅の線であって、該判定線の色が任意に可変であることを特徴とする着順判定用画像変換表示装置。
【請求項２】
前記判定線の幅が任意に調整可能であることを特徴とする前記請求項１記載の着順判定用画像変換表示装置。
【請求項３】
前記モニターへの出力がＳＸＧＡまたはＸＧＡの画像フォーマットに対応したＲＧＢ映像出力であることを特徴とする前記請求項１または２記載の着順判定用画像変換表示装置。
【請求項４】
前記着順判定用画像変換装置には、所定の比率でズーム・アップする一発ズーム・スイッチを設けたことを特徴とする前記請求項１〜３の内、いずれか１項記載の着順判定用画像変換表示装置。
【発明の詳細な説明】
【技術分野】
【０００１】
この発明は、競馬、競輪、競艇等のレースの着順判定に用いられる着順判定用画像変換表示装置に関する。
【背景技術】
【０００２】
競馬、競輪、競艇等のレースの着順判定は、スリット式カメラにより撮影されたゴール上の連続写真により公式審判員が判定する規則となっている。従来、上記撮影されたフィルムは直ちに現像され、該現像されたフィルムはモニター上に表示されて該表示された画像から審判員が着順判定を行っている。
【０００３】
この場合、フィルムはネガなので白黒反転する必要があり、また僅差の着順を判定するため判定線（いわば、定規）を画面上に表示し、例えば該判定線を馬の先端に当てることにより画面の上下に表示されている馬の鼻の先のどちらが先にゴールしているかを判定している。この判定ができなければ同着となり、レースの配当が異なってくるので判定の精度は重要である。
【０００４】
従来の上記表示装置は、ネガをＴＶカメラで撮影し、該撮影画像（ＮＴＳＣ方式）の反転画像をＴＶ受像器上に表示する方法が取られていた。また、この時の前記判定線は別途装置を設けて作成され、上記ＴＶ受像器に元画像と重畳されて表示されていた。
【０００５】
しかし、上記従来の着順判定用画像表示装置は、ＮＴＳＣ方式のため解像度が走査線で決まる限界があった。特にズーム・アップした時の微妙な着順判定に画像の鮮明度を欠き、正確性に劣る欠点があった。また、着順判定用画像表示装置は暗室ではなく、外光が入る環境で用いられるので、判定線をその時の環境に応じて見易く調整したい要望があったが、前記判定線を画像に組み込む装置が複雑であるため判定線の強弱や色、幅等を調整する機能がなかった。従って、判定作業がやりにくい欠点があった。
【発明の開示】
【発明が解決しようとする課題】
【０００６】
この発明は、前記着順判定用画像表示装置としてデジタル化を図り、高精細画像により鮮明度を増すと共に、前記判定線をプロセッサ制御により画面上に合成し、前記判定線の色や幅を調整可能にして審判員の判定がより正確に、またより簡単にできるような着順判定用画像変換表示装置を提供することを目的とする。
【課題を解決するための手段】
【０００７】
本発明の着順判定用画像変換表示装置は、Ｘ−Ｙ軸平面平行移動台、該Ｘ−Ｙ軸平面平行移動台に載置した着順判定用ネガ・フィルムを撮像するデジタル・カメラ、該デジタル・カメラのデジタル出力を白黒反転すると共に該反転出力に判定線を合成してモニターに表示するデジタル・プロセッサからなる着順判定用画像変換表示装置において、上記着順判定用フィルムがゴール上をスリット・カメラにより撮影した連続写真の一部であり、上記判定線が該連続写真の進行方向に直角方向に表示される所定の幅の線であって、該判定線の色が任意に可変であること、さらには、前記判定線の幅が任意に調整可能であることを特徴とする。
【０００８】
またさらに、前記モニターへの出力がＳＸＧＡまたはＸＧＡの画像フォーマットに対応したＲＧＢ映像出力であること、前記着順判定用画像変換装置には、所定の比率でズーム・アップする一発ズーム・スイッチを設けたことを特徴とする。
【発明の効果】
【０００９】
本発明の着順判定用画像変換表示装置は、１４５Ｍピクセルの高解像度画像を用いているので、ズーム・アップをしても従来のアナログ画像よりはるかに鮮明で見易く、判定作業も容易である。
【００１０】
また、判定線もプロセッサで任意に作り出して画像に表示するので、判定線の幅も所定の幅まで拡大でき、同じく判定作業を容易にする効果がある。またさらに、該判定線を任意の色に着色することができ、外光等の環境に応じて見易い色に容易に変更できるので判定作業が容易になる。そして、これらの判定線を作り出す回路も簡単に実現でき、その制御も容易である。
【発明を実施するための最良の形態】
【００１１】
以下、図面を参照しながら、本発明を実施するための最良の形態について詳細に説明する。
図１は、本発明の着順判定用画像変換表示装置１の全体概観図を示し、図１（ａ）は正面図、同図（ｂ）は側面図、同図（ｃ）は同図（ａ）のＡ部分の拡大図を示す。図１において、２はモニター、３はカメラ、４はズーム・レンズ、６は脱着式テーブルである。同図において５は、Ｘ−Ｙ軸平面平行移動台（スライドレール式ネガ台）であり、スリット・カメラで撮影され現像された写真判定用のネガ・フィルムが該Ｘ−Ｙ軸平面平行移動台（スライドレール式ネガ台）の所定の位置に戴置されて図１（ｂ）の紙面と垂直方向で、かつ地面と平行方向に設定される。なお、ネガ・フィルムの位置は、上記地面と平行な面内でＸ−Ｙ軸平面平行移動台により任意の位置に移動可能であり、該位置はモニタを見ながら調整される。該ネガ・フィルムは、蛍光灯８、１０に照らされて透視光が筐体９の内部に設けられたカメラ３によりズーム・レンズ４を介して撮像される。なお、図１ではカメラにより直接撮影される構造となっているが、蛍光灯等の照明をネガ・フィルムの下から当て、ネガ・フィルムの上部に反射鏡を設けて該反射鏡の像を別位置に設置されたカメラで撮像してもよい。また、図１（ａ）、（ｃ）において、７は本発明の着順判定用画像変換表示装置のデジタル・プロセッサであり、その回路のブロック・ダイヤグラムを図２に、またその操作パネル（７ｂ）の拡大図を図３に示す。また、さらに詳細なブロック図を図５に示す。
【００１２】
この装置は、メガピクセルカメラの映像をパソコンを使用することなくフレーム周波数を変換し、一般のパソコン用モニタに表示するためのアダプターである。内部にレンズ制御回路を装備し、レンズのリモート制御を行なうことができる。
【００１３】
また、この装置は、ネガポジ反転入力された映像データに対して、装置の初段に入力映像データのネガポジ反転機能（図５の３６）を有している。また、上記モニタヘ出力するデータに対してガンマ補正をかけることができる（図５の３５）。この装置のビデオ出力端子からはSXGAまたはＸＧＡの画像フォーマットに対応した映像信号が出力され、また、ビデオ出力を５系統（図５の４１）備えており、映像ビデオ信号のゲインおよびペデスタルを１６段階で可変することができる（図３の２３ａおよび３４ｂ、図５の４２）。
【００１４】
上記本発明の装置は、入力された映像信号に幅可変の縦ライン(カーソルライン)を合成することができることを特徴としている（図５の３８）。さらに、該カーソルは色を変えることができ（図３の２７ａ，ｂ，ｃ、図５の３８）、カーソルラインの表示色はＲＧＢ各１６色、合計４０９６色である。カーソルラインと映像信号の合成は、カーソルラインのレベルに応じて映像信号のレベルを制御し、合成後のラインを自然表示する。電源投入時、カーソルラインがＯＮ（図３の２４ａがＯＮ）に設定されている場合、カーソルラインはセンターに表示され、ＰＯＳＩＴＩＯＮ設定用ロータリーエンコーダー（ダイヤル）２４ｂによって画面上のカーソルラインを左右に移動させることができる。左右の移動範囲は表示画面全体である。レンズのズーム（２１ａ，ｂ）/フォーカス（２１ｄ）/アイリス（２２ａ，ｂ）をこの装置よりコントロールすることができ、また出力映像ゲイン調整用ロータリースイッチ（２３ａ）により、出力する映像のゲインを０〜１５までの１６段階に調整することができる。出力映像ペデスタル調整用ロータリースイッチ（３４ｂ）は、出力する映像のペデスタルを−５０％〜＋５０％までの１６段階に調整することができる。
【００１５】
図３において、カーソルラインＯＮ／ＯＦＦスイッチ（２４ａ）は、映像信号にカーソルラインを合成するか否かを選択するスイッチであり、以下の動作を行う。
ＯＮ：カーソルラインを表示する。
ＯＦＦ：カーソルラインを非表示にする。
【００１６】
カーソルライン位置設定用ロータリーエンコーダ（２４ｂ）は、前記のようにカーソルラインを左右に移動させるためのロ一タリーエンコーダである。カーソルライン幅選択スイッチ（２６ａ）は、合成するカーソルラインのドット幅を選択するスイッチである。カーソルラインレベル調整スイッチ（２６ｂ）は、カーソルラインのレベルを調整するためのスイッチであり、カーソルラインレベルはＯ％〜１００％の１６段階に調整することができる。カーソルライン色設定スイッチ（２７ａ〜ｃ）は、カーソルラインにＲＧＢそれぞれ１６色、合計で４０９６色の色を設定するためのスイッチである。ガンマ補正ＯＮ／ＯＦＦスイッチ（２５Ａ）は、ガンマ補正のＯＮ／ＯＦＦを設定するスイッチであり、以下の動作を行う。
【００１７】
ＯＮ:本体内部のディップスイッチで設定されたガンマ補正をする。ＯＦＦの場合はガンマ補正をしない。
ネガ／ポジ反転スイッチ（２５ｂ）は、入力された映像信号に対してネガポジ反転を行なうか否かを選択するスイッチである。ＳＸＧＡ／ＸＧＡ切換スイッチ（２８）は、ピデオ出カの画像フオーマツトを選択するスイッチであり、以下の仕様となっている。
【００１８】
ＳＸＧＡ：有効画素１２８０×１０２４のＳＸＧＡフォーマットで出カする。
ＸＧＡ：有効画素１０２４×７６８のＸＧＡフォーマットで出力する。
ズームスイッチ（２１ａ，ｂ）は、レンズのズームを制御するためのスイッチであり、ズームスピード調整ボリューム（２１ｃ）はズームスイッチを押したときのズームスピードを調整するためのポリュームである。フォーカス調整ポリューム（２１ｄ）は、レンズのフォーカスを制御するためのボリュームであり、アイリスＡＵＴＯ／ＭＡＮＵＡＬ切換えスイッチ（２２ｂ）はアイリスのＡＵＴＯ／ＭＡＮＵＡＬを切換える。アイリス調整ボリューム（２２ａ）は、アイリスの調整用ボリュームで、アイリスがＡＵＴＯの時は微調整が可能で、ＭＡＮＵＡＬの時は閉〜開までの全範囲の調整が可能である。プリセット設定ボリューム（２９ａ，２９ｂ）は、プリセット1および２の電圧を設定するためのボリュームで、２９ｃ、２９ｄはプリセットスイッチであり、このボタンを押すことにより２９ａ，２９ｂで設定されたズームに一発ズームすることが可能である。
【００１９】
この装置にはフレーム周波数が１５Ｈｚのカメラと２５Ｈｚのカメラを接続することができる。
映像出力フォーマットに関して、この装置のビデオ出力端子からはＳＸＧＡおよびＸＧＡの画像フオーマットに対応した映像信号を出力することができる。ＳＸＧＡ／ＸＧＡの切換えは前記のように操作パネルのスイッチで行なう。この装置からの出力映像フォーマットは表１に示される。
【００２０】
【表１】
2006061331.tif 000003
この装置のオートアイリス回路はカメラからの映像信号のレベルを平均化し、その直流レベルが高い時にはレンズに入力するアイリス制御電圧を低くし、レベルが低い時にはアイリス制御電圧を高くすることによって自動的に絞り(アイリス)を調整することができる。ボリュームでオートアイリス回路に入力する映像信号の直流レベル(ＤＣオフセットレベル)を可変することができ、操作パネルの絞りを自動(オートアイリス)側に、アイリス調整ボリュームを中央に設定して、レンズに入力するアイリス制御電圧をボリュームによって調整することができる。
【００２１】
以下、本発明の着順判定用画像変換表示装置のデジタル・プロセッサの信号の流れを図２，図５により説明する。
白黒反転のネガフィルムをカメラ（１１ａ）によって撮影した信号は、ガンマ補正回路（図５の３５）および白黒反転回路（図５の３６）を介してビデオメモリ（図２の１２ａ、図５の３７）に入力される。一方、カーソル信号発生回路（図２の１２ｃ、図５の３８）は、操作パネル（図２の１７ａ）によってカーソルの幅や色を設定して、データ合成回路（図２の１３，図５の４０）で前記ビデオメモリの出力と合成され、出力インターフェース（図２の１４、図５の４１）を介してディスプレイ・モニタ（１８ａ〜１８ｅ）に表示される。
【００２２】
審判員は、図４に示されるようにスリット・カメラで撮影されたネガ・フィルムから本装置によりモニタに表示された映像において、着順を判定する馬の先端にカーソルを合わせて、着順を判定する。しかし、着順判定用画像変換表示装置は屋内に設けられているが、暗室内ではなく外光の入る環境に設置されている。従って、判定時の時間や天候によって見易い、見難いといった状況があり、この時カーソルの幅を広くしたり、あるいは色を変えると見易くなるので、本発明はこのニーズに対応してカーソルの幅や色を任意に可変にできるようにしたものである。なお、上記カーソルの位置に合わせてタイム（スタートからの経過時間）も表示すると便利である。
【図面の簡単な説明】
【００２３】
【図１】本発明の着順判定用画像変換表示装置の全体概観図である。
【図２】本発明の着順判定用画像変換表示装置のデジタル・プロセッサの回路のブロック・ダイヤグラムである。
【図３】本発明の着順判定用画像変換表示装置のデジタル・プロセッサの操作パネルを示す図である。
【図４】本発明の着順判定用画像変換表示装置のモニター上における写真判定画面の説明図である。
【図５】図２のさらに詳細なブロック・ダイヤグラムである。
【符号の説明】
【００２４】
１  着順判定用画像変換表示装置
２  モニタ
３  カメラ
４  ズーム・レンズ
５  Ｘ−Ｙ軸平面平行移動台（スライドレール式ネガ台）
６  脱着式テーブル
７ａ  デジタル・プロセッサ
７ｂ  デジタル・プロセッサ  操作パネル
８  照度変化型蛍光灯
９  筐体
１０  蛍光灯
１１ａ  カメラヘッド
１１ｂ  レンズ
１１ｃ  ＣＣＵ
１２ａ  ビデオメモリ
１２ｂ  表示メモリ
１２ｃ  カーソル信号発生回路
１５ａ  ＣＰＵ
１５ｂ  メモリ
１７ａ  操作パネル
１８  ディスプレイ・モニタ
３１，３２  判定線
３５  ガンマ補正回路
３６  白黒反転回路
３８  カラー表示制御回路
【図１】
2006061331.tif 000004
【図２】
2006061331.tif 000005
【図３】
2006061331.tif 000006
【図４】
2006061331.tif 000007
【図５】
2006061331.tif 000008